(57)【特許請求の範囲】
【請求項１】
柱材と、左右に延びる横材と、前後に延びる桟と、止め具を備え、前後に並ぶ横材を左右に並ぶ桟で連結して枠体を構成してあり、柱材は、左右方向に延びる固定片を有し、固定片を上下に並ぶ各枠体の横材にボルト止めしてあり、止め具は、柱材の固定片と柱材の側面に係合させて取り付けて、柱材との間に配線及び／又は配管の挿通空間を形成しており、配線及び／又は配管は、柱材に沿って設けてあり、止め具で配線及び／又は配管を柱材に止めてあることを特徴とする植栽棚。
【発明の詳細な説明】
【技術分野】
【０００１】
本発明は、植物工場において用いられる植栽棚に関する。
【背景技術】
【０００２】
近年、光や水の量を管理した屋内で植物を育てる植物工場が普及拡大している。このような植物工場においては、従来、図６に示すような植栽棚が用いられている。この植栽棚は、栽培トレイ１０８が載置された上下各段の枠体１０５を、柱材１０１により連結支持したものである。各段には照明具１０９や給水管１１０を設けてあり、植物の成長段階に応じて光や水の量を調整できる。
【発明の概要】
【発明が解決しようとする課題】
【０００３】
このような従来の植栽棚において、照明具１０９に電力を供給する配線１０６は、柱材１０１に結束バンド１２１で括り付けてあった。また、給水管１１０に接続された給排水のための配管１０７は、柱材１０１とは異なる位置で上下に延びており、図７に示すように、枠体１０５の側面にネジ止めしたＵ字形のサドルバンド１２２によって固定してあった。しかしながら、結束バンド１２１の取り付けやサドルバンド１２２のネジ止めは手間がかかるものであり、施工性が悪かった。
【０００４】
本発明は、上記事情を鑑みたものであり、配線や配管の固定が容易で施工性が良好な植栽棚を提供することを目的とする。
【課題を解決するための手段】
【０００５】
本発明は、柱材と、左右に延びる横材と、前後に延びる桟と、止め具を備え、前後に並ぶ横材を左右に並ぶ桟で連結して枠体を構成してあり、柱材は、左右方向に延びる固定片を有し、固定片を上下に並ぶ各枠体の横材にボルト止めしてあり、止め具は、柱材の固定片と柱材の側面に係合させて取り付けて、柱材との間に配線及び／又は配管の挿通空間を形成しており、配線及び／又は配管は、柱材に沿って設けてあり、止め具で配線及び／又は配管を柱材に止めてあることを特徴とする。
【発明の効果】
【０００６】
本発明によれば、止め具により配線及び／又は配管を柱材に止めるものであり、結束バンドやサドルバンドなどを用いる必要がないので、施工性が良好である。また、止め具を横材と同じ上下位置に取り付けることで、止め具により柱材と横材を固定するボルトの頭部を覆い隠すことができ、意匠性が向上するとともに、作業者の手袋などが引っ掛かって破損することを防ぐ。
【図面の簡単な説明】
【０００７】
【図１】本発明の植栽棚の一部拡大正面図である。
【図２】植栽棚の三面図であり、（ａ）は平面図、（ｂ）は正面図、（ｃ）は側面図である。
【図３】中間部の柱材部分の横断面図である。
【図４】端部の柱材部分の横断面図である。
【図５】柱材部分の斜視図であり、（ａ）は何も止めていない状態、（ｂ）は配線を止めた状態、（ｃ）は配管を止めた状態を示す。
【図６】従来の植栽棚を示し、（ａ）は一部拡大正面図、（ｂ）は全体正面図である。
【図７】従来の植栽棚の配管の固定部分の斜視図である。
【発明を実施するための形態】
【０００８】
以下、本発明の実施の形態を図面に基づいて説明する。この植栽棚は、図２に示すように、柱材１，１ａと、左右に延びる横材２と、前後に延びる桟３を組んで構成されたものである。柱材１，１ａと横材２と桟３は、何れもアルミ製の押出形材からなるものであり、柱材１，１ａは断面略矩形、横材２は断面略コ字形、桟３は断面略矩形である。横材２は、二本がコ字形の開口側同士を向かい合わせて前後に平行に並んでおり、この二本の横材２同士を、左右に平行かつ等間隔に並ぶ四本の桟３で連結して、上面視して矩形の枠体５を構成してある。この際、各桟３の端部を前後の横材２のコ字の開口部に納めてあり、横材２の見付面（前側面又は後側面）の各桟３に対応する位置にボルト孔を形成してあって、ボルト孔にボルト３１を挿入して横材２と桟３をボルト止めしてある。また、隣接する桟３同士の間に、それぞれ二本の補助桟３２を設けてある。補助桟３２は、桟３よりも細い断面略矩形のアルミ製押出形材からなり、桟３と平行かつ等間隔に並び、各補助桟３２の端部を前後の横材２のコ字の開口部に納めてあり、横材２の見付面（前側面又は後側面）の各補助桟３２に対応する位置にボルト孔を形成してあって、ボルト孔にボルトを挿入して横材２と補助桟３２をボルト止めしてある。そして、このように構成した枠体５を上下に六段並べてあり、各枠体５の前後の横材２に、柱材１，１ａを連結してある。柱材１，１ａは、枠体５の前後にそれぞれ四本ずつ設けてあり、柱材１，１ａの左右位置は、桟３の左右位置と一致している。なお、最上段と最下段以外の枠体５は、横材２及び桟３が最上下段の枠体５の横材２及び桟３よりも細く、最上下段以外の枠体５の桟３は、補助桟３２と同じ形材が用いられている。また、柱材１，１ａは、左右方向の中間部に位置する柱材１と、端部に位置する柱材１ａとで形状が異なっており、詳細は後述する。
【０００９】
そして、図１及び図２に示すように、各段（最上段を除く）の枠体５の上面には、矩形の栽培トレイ８を並べて載置してあり、この栽培トレイ８上で、各種の植物を栽培する。また、各段（最下段を除く）の枠体５の下側にＬＥＤからなる照明具９を吊り下げてあり、栽培トレイ８に向けて光を照射できるようにしてある。各照明具９には、電力を供給するための配線６が接続されている。上下の各段において、配線６は各照明具９から中間部の柱材１に向けて延び、柱材１の位置で集合して、柱材１に沿って上側に向けて延びており、電力の供給源（図示省略）に接続されている。また、上下の各段には、給水管１０を設けてあり、栽培トレイ８に水を供給できるようにしてある。給水管１０は、端部の柱材１ａに沿って上下に延びる配管７から分岐しており、配管７は、その上端が水の供給源（図示省略）に接続されている。
【００１０】
次に、柱材１，１ａ部分について詳述する。まず、中間部の柱材１について説明する（ここでは枠体５の前側に位置する柱材１に基づく）。中間部の柱材１は、図３に示すように、中空の矩形部１１を有する。そして、矩形部１１の後端部から左右それぞれに向けて延びる固定片１２を設けてあり、さらに固定片１２の先端から前側に向けて延びる係止部１３を設けてある。また、矩形部１１の前端部には、左右それぞれに向けて延び先端が後側に向けて屈曲している略Ｌ字形の係合部１４を設けてある。さらに、矩形部１１の後側面、すなわち横材２に対する当接面には、断面略コ字形の凹部１５を形成してある。そして、このように構成した柱材１の矩形部１１の後側面および固定片１２を、横材２の前側面に当接させてある。この際、横材２と桟３を固定するボルト３１の頭部が、柱材１の凹部１５に呑み込まれ、干渉することを防ぐとともに、ボルト３１が外側から視認できなくなる。固定片１２の横材２に対応する上下位置には、ボルト孔を形成してあり、ボルト孔にボルト１６を挿入して、柱材１（固定片１２）と横材２をボルト止めしてある。また、柱材１の下端には、高さ調整可能な脚部１７を設けてある。
【００１１】
そして、柱材１には、上下に間隔を空けて複数の止め具４を取り付けてあり、止め具４によって、柱材１に沿って延びる配線６を柱材１に止めてある。この止め具４は柱材１の左右両側にそれぞれ取り付けられるものであり、両止め具４は左右対称形状であるが、ここでは左側の止め具４に基づいて説明する。止め具４は、薄いアルミ板を曲げて形成したものであり、左右方向に延びる前側面４１と、前側面４１の左端から後側に向けて延びる見込面４２と、見込面４２の後端から右側に向けて延びる後側面４３を備え、後側面４３は前側面４１の略半分の長さである。前側面４１の右端（柱材１側端）は、後側に向けて湾曲していて、先端部には、前側に向けて屈曲してさらに後側に向けて屈曲する略Ｖ字形の被係合部４４を形成してある。また、後側面４３の右端（柱材１側端）は、前側に向けて湾曲していて、先端部には、右側に向けて屈曲してさらに後側に向けて屈曲する略Ｕ字形の被係止部４５を形成してある。なお、止め具４の上下長さは、図１に示すように、各段の横材２の上下幅に合わせてあり、５０ｍｍ程度のものとなっている。このように形成した止め具４は、薄いアルミ板からなるので弾性を有しており、後側の被係止部４５を柱材１の係止部１３に係止してから、反時計回りに回転させるようにして、前側の被係合部４４を柱材１の係合部１４に係合させるか、あるいは、全体を押し縮めて、被係止部４５と被係合部４４を同時に柱材１の係止部１３と係合部１４にそれぞれ係合させて、取り付けることができる。こうして止め具４を取り付けることにより、柱材１の矩形部１１の左側面及び固定片１２と、止め具４の前側面４１、見込面４２及び後側面４３に囲まれた略矩形の挿通空間Ｓが形成され、この挿通空間Ｓに集合した各配線６を納めて、配線６を柱材１に止めてある。また、止め具４の前側面４１は柱材１の矩形部１１の前側面と面一になり、止め具４の後側面４３は柱材１の矩形部１１の後側面と面一になるので、柱材１の左右にそれぞれ止め具４を取り付けることで、全体として断面略矩形となる。なお、止め具４は、柱材１の任意の上下位置に取り付けることができるが、ここでは横材２の位置に合わせて取り付けてある。このようにすることで、柱材１を横材２に固定するためのボルト１６の頭部が止め具４により覆い隠され、外側から視認できなくなる。
【００１２】
続いて、端部の柱材１ａについて説明するが、端部の柱材１ａは、中間部の柱材１と比べて、固定片１２及び係合部１４を左右一方にのみ設けた点が異なっている（ここでは枠体５の前側左端に位置する柱材１ａに基づく）。左端部の柱材１ａは、図４に示すように、中空の矩形部１１を有する。そして、矩形部１１の後端部から右側に向けて延びる固定片１２を設けてあり、さらに固定片１２の先端から前側に向けて延びる係止部１３を設けてある。また、矩形部１１の前端部には、右側に向けて延び先端が後側に向けて屈曲している略Ｌ字形の係合部１４を設けてある。さらに、矩形部１１の後側面、すなわち横材２に対する当接面には、断面略コ字形の凹部１５を形成してある。そして、このように構成した柱材１ａの矩形部１１の後側面および固定片１２を、横材２の左端部の前側面に当接させてある。この際、横材２と桟３を固定するボルト３１の頭部が、柱材１ａの凹部１５に呑み込まれ、干渉することを防ぐとともに、ボルト３１が外側から視認できなくなる。固定片１２の横材２に対応する上下位置には、ボルト孔を形成してあり、ボルト孔にボルト１６を挿入して、柱材１ａ（固定片１２）と横材２をボルト止めしてある。また、中間部の柱材１と同様に、端部の柱材１ａの下端にも、高さ調整可能な脚部１７を設けてある。さらに、図２（ｃ）及び図４に示すように、最上段及び最下段の枠体５と、端部の柱材１ａとに跨って、左右側からプレート５１を取り付けてある。プレート５１は、柱材１ａと桟３に二箇所ずつボルト止めしてあり、植栽棚を補強している。
【００１３】
そして、端部の柱材１ａにも、中間部の柱材１と同様に、上下に間隔を空けて複数の止め具４を取り付けてあり、止め具４によって、柱材１ａに沿って延びる配管７を柱材１ａに止めてある。この止め具４は、中間部の柱材１に取り付けるものと同じものであり、被係止部４５と被係合部４４を柱材１ａの係止部１３と係合部１４にそれぞれ係合させて取り付けてあって、柱材１ａと止め具４で全体として断面略矩形となる。そして、柱材１ａと止め具４に囲まれた略矩形の挿通空間Ｓに配管７を納めてある。なお、中間部の柱材１の場合と同様に、止め具４は、端部の柱材１ａの任意の上下位置に取り付けることができるが、ここでは横材２の位置に合わせて取り付けてある。このようにすることで、柱材１ａを横材２に固定するためのボルト１６の頭部が止め具４により覆い隠され、外側から視認できなくなる。
【００１４】
図５は、柱材１ａに止め具４を取り付けた状態の説明図であり、（ａ）に示すように、配線６や配管７を設けない場合でも、止め具４を取り付けることで、柱材１ａを横材２に固定するためのボルト１６の頭部を覆い隠すことができる。また、配線６や配管７を止めると、（ｂ）や（ｃ）に示す状態となる。
【００１５】
このように構成した本発明の植栽棚によれば、止め具４により配線６及び配管７を柱材１，１ａに止めるものであり、結束バンドやサドルバンドなどを用いる必要がない。そして、止め具４はそれ自体が弾性を有するものであり、被係止部４５と被係合部４４を柱材１，１ａの係止部１３と係合部１４にそれぞれ係合させるだけで取り付け可能であって、何らの工具を要しないので、施工性が良好である。また、柱材１，１ａが左右方向に延びる固定片１２を有し、固定片１２を横材２にボルト止めしてあり、固定片１２の先端部に止め具４を係止させて取り付けてあるので、止め具４を横材２と同じ上下位置に取り付けることで、止め具４により柱材１，１ａと横材２を固定するボルト１６の頭部を覆い隠すことができ、意匠性が向上するとともに、作業者の手袋などが引っ掛かって破損することを防ぐ。さらに、柱材１，１ａは、桟３と同じ左右位置に設けてあり、柱材１，１ａの横材当接面に凹部１５を形成してあり、凹部１５に横材２と桟３を固定するボルト３１を呑み込ませてあるので、ボルト３１の頭部を覆い隠すことができ、意匠性が向上するとともに、作業者の手袋などが引っ掛かって破損することを防ぐ。また、止め具４は柱材１，１ａの全長にわたって取り付けるものではなく、任意の上下位置に取り付けることができるので、配線６や配管７の分岐部分との干渉を避けることも容易である。
【００１６】
本発明は、上記の実施形態に限定されない。たとえば、配線と配管は、何れか一方のみを有するものである場合もあり、配管は、水のほか、空気の供給に用いられる場合もある。さらに、配線と配管は、中間部の柱材と端部の柱材のどちらに沿って設けてもよく、中間部の柱材の左右の止め具でそれぞれ配線と配管を止めてもよいし、一つの止め具で配線と配管の両方を併せて止めてもよい。また、柱材及び止め具の形状は、止め具が容易に係合可能であって配線や配管を止めることができるものであれば、どのようなものであってもよい。
【符号の説明】
【００１７】
１，１ａ  柱材
２  横材
３  桟
４  止め具
５  枠体
６  配線
７  配管
１２  固定片
Ｓ  挿通空間
【図１】
0006404786.tif 000002
【図２】
0006404786.tif 000003
【図３】
0006404786.tif 000004
【図４】
0006404786.tif 000005
【図５】
0006404786.tif 000006
【図６】
0006404786.tif 000007
【図７】
0006404786.tif 000008